(57)【特許請求の範囲】
【請求項１】
輪状ステータの両面に一体又は別体で設けられた絶縁カバー部材(1)と、前記絶縁カバー部材(1)に一体に設けられ半径方向に沿って突出する端子ピン保持部(2)と、前記端子ピン保持部(2)の外縁(2a)に互いに間隔をあけて設けられ四角柱状をなす複数の端子ピン(3)と、前記輪状ステータに内方に向けて形成された複数の突出磁極と、前記各突出磁極に前記絶縁カバー部材(1)を介して巻回されその端線(4)が前記端子ピン(3)にからげられたステータ巻線と、よりなるレゾルバの端子ピンからげ構造において、
前記端子ピン保持部(2)に設けられ長手形状をなすと共に前記端子ピン(3)と突出磁極間に位置し、前記端子ピン(3)の長手方向に沿って立設されくの字型又は円弧状又は直線状に形成された壁状部材(11)を有し、前記壁状部材(11)は、前記端子ピン(3)と前記壁状部材(11)との間の前記端線(4)の端線長手方向(4A)が前記端子ピン保持部(2)の前記半径方向に沿う突出方向(2A)に対して非平行となる位置に配設され、
前記端子ピン(3)と前記壁状部材(11)の端部(11a)との間の前記端線(4)の端線長さ(4B)は、前記壁状部材(11)の壁状部材長さ(11A)よりも短く、前記端線(4)のたるみ線(4a)はワニスを用いることなくテンションのみで前記壁状部材(11)に接触して固定されていると共に前記壁状部材(11)は前記端子ピン保持部(2)にそのまま残り、前記壁状部材(11)の数と前記端子ピン(3)の数は同数で、前記たるみ線(4a)の浮き線がなくなることを特徴とするレゾルバの端子ピンからげ構造。
【発明の詳細な説明】
【技術分野】
【０００１】
本発明は、レゾルバの端子ピンからげ構造に関し、特に、端子ピン保持部に形成された壁状部材に端線を接触させて端子ピンにからげることにより、端線のたるみ線を固定するワニス等を不要とするための新規な改良に関する。
【背景技術】
【０００２】
従来、用いられていたこの種のレゾルバの端子ピンからげ構造としては、例えば、後述の特許文献１に開示された構造と類似の構造を図２及び図３に挙げることが出来る。
すなわち、図２及び図３において符号１で示されるものは、図示しない周知の輪状ステータの両面に一体又は別体にて設けられた絶縁カバー部材であり、この絶縁カバー部材１の一部からは半径方向に沿って一体に突出する端子ピン保持部２が形成されている。
【０００３】
前記端子ピン保持部２の外縁２ａには、複数の端子ピン３が立設して形成され、前記輪状ステータの内周面には、所定角度間隔で内方に突出する周知の図示しない突出磁極が複数形成されている。
前記各突出磁極の周面には、前記絶縁カバー１の突出部分が覆われており、各突出磁極には、前記絶縁カバー部材１を介して周知の図示しないステータ巻線が巻回されている。
【０００４】
前記ステータ巻線の前記突出磁極に巻回した残りの端線４は、前記各端子ピン３にからげられており、前記端子ピン保持部２上の前記各端子ピン３と前記突出磁極との間の位置には、前記端子ピン３に対応してたるみピン５を貫通させるための貫通孔６が複数形成されている。
【０００５】
前述の構成において、レゾルバの輪状ステータの各突出磁極に対し、前記絶縁カバー部材１を介してステータ巻線を巻回する場合、図２に示されるように、保持体１０に予め植立してある各たるみピン５を各貫通孔６に貫通させ、各たるみピン５を各貫通孔６の上方に突出させる。
【０００６】
前述の構成において、各突出磁極に巻回されたステータ巻線の端線４は、各たるみピン５に接触して曲げられた後に、各端子ピン３にからげられる。
前記各端子ピン３に対して端線４のからげが完了した後、前記保持体１０を下方へ降下させると、各たるみピン５は端子ピン保持部２から離脱し、各端線４は曲折された状態でたるみ線４ａを形成している。
前述の状態で、最終工程として、ワニス剤等の固定剤（図示せず）をたるみ線４ａに塗布することによって、たるみ線４ａが端子ピン保持部２に固定される。
【０００７】
【特許文献１】米国特許第６０４４５４５号明細書
【発明の開示】
【発明が解決しようとする課題】
【０００８】
従来のレゾルバの端子ピンからげ構造は、以上のように構成されていたため、次のような課題が存在していた。
すなわち、たるみ線がワニス剤によって固定されていたため、温度上昇時におけるヒートショックにより、ワニス硬度が増加し、その結果、ワニス剤にクラックが入り、そのクラックがたるみ線へも影響し、たるみ線が断線することがあった。
また、レゾルバ設計上、たるみピンを設置させるスペースが必要であり、半径方向に沿うスペースが必要であった。
また、端子ピン保持部が小型でレゾルバが小径の場合には、各端子ピン間の間隔が狭く、たるみピン除去後の各たるみ線が互いに接触する可能性もあった。
【課題を解決するための手段】
【０００９】
本発明によるレゾルバの端子ピンからげ構造は、輪状ステータの両面に一体又は別体で設けられた絶縁カバー部材と、前記絶縁カバー部材に一体に設けられ半径方向に沿って突出する端子ピン保持部と、前記端子ピン保持部の外縁に互いに間隔をあけて設けられ四角柱状をなす複数の端子ピンと、前記輪状ステータに内方に向けて形成された複数の突出磁極と、前記各突出磁極に前記絶縁カバー部材を介して巻回されその端線が前記端子ピンにからげられたステータ巻線と、よりなるレゾルバの端子ピンからげ構造において、前記端子ピン保持部に設けられ長手形状をなすと共に前記端子ピンと突出磁極間に位置し、前記端子ピンの長手方向に沿って立設されくの字型又は円弧状又は直線状に形成された壁状部材を有し、前記壁状部材は、前記端子ピンと前記壁状部材との間の前記端線の端線長手方向が前記端子ピン保持部の前記半径方向に沿う突出方向に対して非平行となる位置に配設され、前記端子ピンと前記壁状部材の端部との間の前記端線の端線長さは、前記壁状部材の壁状部材長さよりも短く、前記端線のたるみ線はワニスを用いることなくテンションのみで前記壁状部材に接触して固定されていると共に前記壁状部材は前記端子ピン保持部にそのまま残り、前記壁状部材の数と前記端子ピンの数は同数で、前記たるみ線の浮き線がなくなる構成である。
【発明の効果】
【００１０】
本発明によるレゾルバの端子ピンからげ構造は、以上のように構成されているため、次のような効果を得ることができる。
すなわち、輪状ステータの両面に一体又は別体で設けられた絶縁カバー部材と、前記絶縁カバー部材に一体に設けられ半径方向に沿って突出する端子ピン保持部と、前記端子ピン保持部の外縁に互いに間隔をあけて設けられ四角柱状をなす複数の端子ピンと、前記輪状ステータに内方に向けて形成された複数の突出磁極と、前記各突出磁極に前記絶縁カバー部材を介して巻回されその端線が前記端子ピンにからげられたステータ巻線と、よりなるレゾルバの端子ピンからげ構造において、前記端子ピン保持部に設けられ長手形状をなすと共に前記端子ピンと突出磁極間に位置し、前記端子ピンの長手方向に沿って立設されくの字型又は円弧状又は直線状に形成された壁状部材を有し、前記壁状部材は、前記端子ピンと前記壁状部材との間の前記端線の端線長手方向が前記端子ピン保持部の前記半径方向に沿う突出方向に対して非平行となる位置に配設され、前記端子ピンと前記壁状部材の端部との間の前記端線の端線長さは、前記壁状部材の壁状部材長さよりも短く、前記端線のたるみ線はワニスを用いることなくテンションのみで前記壁状部材に接触して固定されていると共に前記壁状部材は前記端子ピン保持部にそのまま残り、前記壁状部材の数と前記端子ピンの数は同数で、前記たるみ線の浮き線がなくなるため、たるみ線同士の接触がなくなり、ワニス剤等が不要となり、振動時の端線の損傷もなくすことができる。また、壁状部材にたるみ線のテンションがかかり、たるみ線の暴れをなくし、信頼性を向上させることができる。
また、前記壁状部材は、くの字型又は円弧状に曲折していることにより、たるみ線に大きいテンションがかかり、従来のワニス線を用いなくても浮線を防止することができる。
【発明を実施するための最良の形態】
【００１１】
本発明は、端子ピン保持部に形成された壁状部材に端線を接触させて端子ピンにからげることにより、端線のたるみ線を固定するワニス等を不要とするレゾルバの端子ピンからげ構造を提供することを目的とする。
【実施例】
【００１２】
以下、図面と共に本発明によるレゾルバの端子ピンからげ構造の好適な実施の形態について説明する。
尚、従来例と同一又は同等部分には、同一符号を用いて説明する。
図１において符号１で示されるものは、図示しない周知の輪状ステータの両面に一体又は別体にて設けられた絶縁カバー部材であり、この絶縁カバー部材１の一部からは半径方向に沿って一体に突出する端子ピン保持部２が形成されている。
【００１３】
前記端子ピン保持部２の外縁２ａには、四角柱状をなす複数の端子ピン３が互いに間隔をあけて立設して形成され、前記輪状ステータの内周面には、所定角度間隔で内方に突出する周知の図示しない突出磁極が複数形成されている。
前記各突出磁極の周面には、前記絶縁カバー部材１の突出部分が覆われており、各突出磁極には、前記絶縁カバー部材１を介して周知の図示しない周知のステータ巻線が巻回されている。
【００１４】
前記端子ピン保持部２上の前記輪状ステータの突出磁極と端子ピン３との間の位置には、くの字型に曲折し前記端子ピン３の長手方向に沿って立設する長手板状の複数の壁状部材１１が複数並設されている。
尚、前記壁状部材１１は、くの字型に曲折した場合に限らず、直線状の板状部材の場合も可能である。
尚、前記壁状部材１１は、前記端子ピン３と前記壁状部材１１との間の前記端線４の端線長手方向４Ａが前記端子ピン保持部２の前記半径方向に沿う突出方向２Ａに対して非平行となる位置に配設され、前記端子ピン３と前記壁状部材１１の端部１１ａとの間の前記端線４の端線長さ４Ｂは、前記壁状部材１１の壁状部材長さ１１Ａよりも短く構成されている。
【００１５】
前述の構成において、前記各突出磁極に巻回したステータ巻線（周知のように、励磁巻線と出力巻線とからなる）の端線４は、各壁状部材１１の側面の曲部１１ａの外面に接触して端子ピン３にからげられるため、端線４にはたるみ線４ａが形成されると共に、テンションを有し張設状態で配設されている。
【００１６】
従って、前述のように、壁状部材１１に接触して張設された端線４のたるみ線４ａは、従来のようにたるみ線４ａをワニス剤等で固定しなくても、壁状部材１１は端子ピン保持部２にそのまま残るため、テンションのみでたるみ線４ａは壁状部材１１に固定された状態となり、たるみのないたるみ線４ａが得られる。また、前記壁状部材１１は、図示していないが円弧状に曲折して用いることもできる。尚、前記端子ピン３の数と壁状部材１１の数は同数である。
【００１７】
また、各壁状部材１１の曲部１１ａ側のみにたるみ線４ａが張設されるため、各たるみ線４ａ同士の接触は防止できる。
また、常に、テンションによってたるみ線４ａが壁状部材１１に接触しているため、浮き線がなくなり、振動によるコイル皮膜の損傷を防止することができる。
【図面の簡単な説明】
【００１８】
【図１】本発明によるレゾルバの端子ピンからげ構造を示す要部の斜視図である。
【図２】従来のレゾルバの端子ピンからげ構造を示す要部の斜視図である。
【図３】図２の要部を示す拡大斜視図である。
【符号の説明】
【００１９】
１    絶縁カバー部材
２    端子ピン保持部
２ａ    外縁
２Ａ 突出方向
３    端子ピン
４    端線
４ａ    たるみ線
４Ａ 端線長手方向
４Ｂ 端線長さ
１１    壁状部材
１１ａ 端部
１１ａ    曲部
１１Ａ 壁状部材長さ
【図１】
0005412619.tif 000002
【図２】
0005412619.tif 000003
【図３】
0005412619.tif 000004